(57)【特許請求の範囲】
【請求項１】
収納ケース、該収納ケース内において光ディスクを着脱自在に保持する光ディスク保持体からなり、該光ディスク保持体は光ディスク底面支持部を有し収納ケース内にその一方側を固着し他方側を常時立ち上がり傾斜状態で中空部分に向かって延出し、該延出部分を上下動自在とすべく可撓性を有するとともに、光ディスクの水平方向への抜け出しを防止すべく光ディスクの外周と当接する側壁部材を形成し、さらにこの側壁部材には光ディスクの上面方向への抜け出しを防止する掛止部材を突設形成し、かつ光ディスク底面支持部の上面方向から光ディスクを収納可能とすべく前記掛止部材を外周方向へ反り返り自在とし、さらに前記側壁部材は、光ディスク保持体の一方側に形成され、収納されてなる光ディスクの一方側を保持するとともに、相対向する光ディスク保持体の他方側には、光ディスクの斜め上方向への取出しは自在で、光ディスクの水平方向への抜け出しは防止される前記側壁部材よりも高さのある形状からなるストッパー部を形成したことを特徴とする光ディスク収納体。
【請求項２】
開閉自在な蓋体を備えた収納ケース、該収納ケース内において光ディスクを着脱自在に保持し前記収納ケース内に取付けられた基端部に連接する先方部分が常時立ち上がり傾斜状態でかつ上下動自在とすべく可撓性を有して中空部分に向かって延出する光ディスク保持体からなり、光ディスク保持体は光ディスク底面支持部を有しその先方部分は収納ケースの蓋体の開閉に応じて上下動するとともに、前記収納ケースには光ディスク保持体の先方部分を係脱自在に収納ケース底面上に保持する掛止部を備え、かつ前記光ディスク底面支持部には、光ディスクの水平方向への抜け出しを防止すべく光ディスクの外周と当接する側壁部材を形成し、さらにこの側壁部材には光ディスクの上面方向への抜け出しを防止する掛止部材を突設形成し、かつ光ディスク底面支持部の上面方向から光ディスクを収納可能とすべく前記掛止部材を外周方向へ反り返り自在とし、さらに前記側壁部材は、光ディスク保持体の一方側に形成され、収納されてなる光ディスクの一方側を保持するとともに、相対向する光ディスク保持体の他方側には、光ディスクの斜め上方向への取出しは自在で、光ディスクの水平方向への抜け出しは防止される前記側壁部材よりも高さのある形状からなるストッパー部を形成したことを特徴とする光ディスク収納体。
【請求項３】
光ディスクの上面方向への抜け出しを防止すべく側壁部材に突設形成される掛止部材は側壁部材の端部に形成されてなり、ディスク外周縁を掛止する先端掛止部がディスク外周縁に対し接離自在とすべく側壁部材端部の下方部分は光ディスク底面支持部と切り離されてなることを特徴とする請求項１又は２記載の光ディスク収納体。
【請求項４】
掛止部材の先端掛止部は、光ディスク内周方向に向かって下方に傾斜するテーパー部を設けたことを特徴とする請求項１又は２記載の光ディスク収納体。
【請求項５】
掛止部材のテーパー部下端面は収納する光ディスク上面とほぼ平行に位置することを特徴とする請求項４記載の光ディスク収納体。
【請求項６】
光ディスク保持体は、収納ケース内を摺動移動自在とし、該収納ケースにおける光ディスクの先端方向に形成された開口部から突出自在としてなることを特徴とする請求項１記載の光ディスク収納体。
【発明の詳細な説明】
【０００１】
【発明の属する技術分野】
本発明は、ＤＶＤ、音楽用コンパクトディスクあるいはコンピューター用ＣＤ−ＲＯＭ等の光ディスク用の収納ケースに関するものであり、特に光ディスクの収納若しくは取り出しを迅速かつスムースに行うことができ、光ディスクを汚損、損傷することなく確実に収納することができるとともに、組立工程における光ディスクの装填も自動化できるように工夫をこらしたものである。
【０００２】
【従来の技術】
従来、光ディスクを収納する収納体としては、光ディスクの中心穴を係合突部にて保持する保持板と、この保持板を係合する収納基体と、この収納基体の１辺に係合する開閉自在な蓋体とからなるものがある。この光ディスク収納体は、簡易な構造であることから販売用の殆どの音楽用コンパクトディスク等に多く用いられている。また、ＤＶＤを収納する収納体としては、前記係合突部を備えた保持板と、開閉自在な蓋体とがヒンジ状に一体形成された構造を有している。
【０００３】
また、最近のＤＶＤなどの多機能・高品質な記録媒体にあっては、従来のコンパクトディスク以上にプレーヤ及びディスクの高精度の寸法精度が求められている。しかしながら、光ディスクを保護すべき従来の光ディスク収納体にあっては、光ディスクを保持板の係合突部に係合させたり係合突部から離脱させる際に、光ディスクの中心穴内周が係合突部に擦れて僅かずつでも損傷する恐れがあった。この光ディスクの中心穴内周が例え僅かでも損傷すると、この中心穴を係合して光ディスクを回転させるスピンドルとの間に隙間が生じて光ディスクの回転が偏心したり、光ディスクが本来の回転面に対して傾斜することとなり、このことは光ディスクでの情報の読み出し・書き込みが不完全となる致命的な問題となるものであった。
【０００４】
また、上述した従来の光ディスク収納体にあっては、光ディスクは前記保持板表面にぴったりと密接して収納されることから、これを取り出すべく光ディスクを摘むためにはバネ性を備えた保持板の係合突部を思い切り押し込んでも、光デスクは殆ど浮き上がることはなく、光ディスクの取り出し・収納については使い勝手の悪さを余儀なくされていた。
【０００５】
さらにまた、光ディスクの取り出しに際しても、触れることを極力避けなければならない記録面に対し、手指が当接し傷つけたり汚してしまうことが多々あった。
【０００６】
そこで、本発明者は、特願平１１−３０６３４３号及び特願２０００−１３６８８９において、光ディスクにとってきわめて重要な中心穴を損傷させることなく光ディスクを取り出し及び収納することができることは勿論のこと、光ディスクの記録面を傷つけたり汚したりすることなくきわめて容易に取り出すことができる光ディスク収納体を案出したものである。
【０００７】
【発明が解決しようとする課題】
上述した光ディスク収納体は、ユーザーが使いやすくかつ光ディスクが損傷する恐れのない優れたものであるが、ただ一つの難点としては、光ディスク収納体に光ディスクを自動装填することに問題があることであった。すなわち、音楽用コンパクトディスク等にあっては、光ディスクの収納からパッケージまでを全自動化していて、光ディスクをケースに装填するために、ロボットに保持された光ディスクが垂直に降下して、その中心孔を光ディスク収納体の係合突部に嵌合させるのであるが、本発明者案出に係る前述した光ディスク収納体にあっては、光ディスクの抜け出しを防止するための掛止片が邪魔になってそのままでは光ディスクを装填できないことであった。
【０００８】
そこで、本発明にあっては、光ディスクの収納・取り出しを迅速かつスムースに行うことができ、光ディスクを汚損、損傷することなく確実に収納することができるとともに、光ディスクの装填を自動化して行うロボット化された組立工程に対応することができる光ディスク収納体を提供することを目的とする。
【０００９】
【課題を解決するための手段】
前述した目的を達成すべく、本発明の光ディスク収納体は、収納ケース、該収納ケース内において光ディスクを着脱自在に保持する光ディスク保持体からなり、該光ディスク保持体は光ディスク底面支持部を有し収納ケース内にその一方側を固着し他方側を常時立ち上がり傾斜状態で中空部分に向かって延出し、該延出部分を上下動自在とすべく可撓性を有するとともに、光ディスクの水平方向への抜け出しを防止すべく光ディスクの外周と当接する側壁部材を形成し、さらにこの側壁部材には光ディスクの上面方向への抜け出しを防止する掛止部材を突設形成し、かつ光ディスク底面支持部の上面方向から光ディスクを収納可能とすべく前記掛止部材を外周方向へ反り返り自在とし、さらに前記側壁部材は、光ディスク保持体の一方側に形成され、収納されてなる光ディスクの一方側を保持するとともに、相対向する光ディスク保持体の他方側には、光ディスクの斜め上方向への取出しは自在で、光ディスクの水平方向への抜け出しは防止される前記側壁部材よりも高さのある形状からなるストッパー部を形成したことを特徴とするものである。
【００１０】
または、開閉自在な蓋体を備えた収納ケース、該収納ケース内において光ディスクを着脱自在に保持し前記収納ケース内に取付けられた基端部に連接する先方部分が常時立ち上がり傾斜状態でかつ上下動自在とすべく可撓性を有して中空部分に向かって延出する光ディスク保持体からなり、光ディスク保持体は光ディスク底面支持部を有しその先方部分は収納ケースの蓋体の開閉に応じて上下動するとともに、前記収納ケースには光ディスク保持体の先方部分を係脱自在に収納ケース底面上に保持する掛止部を備え、かつ前記光ディスク底面支持部には、光ディスクの水平方向への抜け出しを防止すべく光ディスクの外周と当接する側壁部材を形成し、さらにこの側壁部材には光ディスクの上面方向への抜け出しを防止する掛止部材を突設形成し、かつ光ディスク底面支持部の上面方向から光ディスクを収納可能とすべく前記掛止部材を外周方向へ反り返り自在とし、さらに前記側壁部材は、光ディスク保持体の一方側に形成され、収納されてなる光ディスクの一方側を保持するとともに、相対向する光ディスク保持体の他方側には、光ディスクの斜め上方向への取出しは自在で、光ディスクの水平方向への抜け出しは防止される前記側壁部材よりも高さのある形状からなるストッパー部を形成したことを特徴とするものである。
【００１１】
また、光ディスクの上面方向への抜け出しを防止すべく側壁部材に突設形成される掛止部材は側壁部材の端部に形成されてなり、ディスク外周縁を掛止する先端掛止部がディスク外周縁に対し接離自在とすべく側壁部材端部の下方部分は光ディスク底面支持部と切り離されてなることを特徴とするものである。
【００１２】
また、掛止部材の先端掛止部は、光ディスク内周方向に向かって下方に傾斜するテーパー部を設けたことを特徴とするものである。
【００１３】
また、掛止部材のテーパー部下端面は収納する光ディスク上面とほぼ平行に位置することを特徴とするものである。
【００１４】
また、光ディスク保持体は、収納ケース内を摺動移動自在とし、該収納ケースにおける光ディスクの先端方向に形成された開口部から突出自在としてなることを特徴とするものである。
【００１５】
【発明の実施の形態】
図１〜図１０は、本発明の光ディスク収納体の第１の実施例を示し、図中１は音楽用コンパクトディスクやＤＶＤ等に用いられる合成樹脂製の光ディスク収納体である。この光ディスク収納体１は、光ディスク２を着脱自在に保持する光ディスク保持体３と、この光ディスク保持体３の基端部４がその一側に着脱自在に係合する収納基体５と、同じく収納基体５の一側に基端部分を着脱自在に係合し光ディスク２上方を開閉自在に閉蓋して収納基体５と係合する蓋体６とから構成されている。そして、収納基体５と蓋体６とで収納ケースを構成している。
【００１６】
光ディスク保持体３は、収納基体５の一側に着脱自在に係合する基端部４と、この基端部４と一体若しくは別体に連設し、光ディスク２を常時立ち上がり状態で傾斜して保持する光ディスク底面支持部７とからなる。この光ディスク底面支持部７は、収納基体５に対し立ち上がり状態で傾斜して基端部４から中空部分に延出するとともに、蓋体６を閉じた収納ケース内に収納されるべく、適宜な合成樹脂材を使用し上下動自在とする可撓性を備えている。
【００１７】
すなわち光ディスク保持体３は、その基端部４を基点として上下動自在でかつ常時立ち上がる方向に付勢されるべく可撓性を有することで、蓋体６が開いている状態では光ディスク保持体３は、基端部４から先端部に向かい立ち上がり傾斜状態にて中空部分に延出し、収納する光ディスク２を傾斜状態で保持することで好適な光ディスク２の取出し及び収納をすることができるものである。そして、蓋体６を閉蓋し収納基体５に係合させると、光ディスク保持体３は蓋体６に押動され押し下げられて光ディスク収納体１内に収納されるものである。
【００１８】
光ディスク保持体３の先端側上面に形成された光ディスク底面支持部７は、その上に光ディスク２底面を支持し、かつ光ディスク２外周の半分以上を当接して保持する幅径を有している。そして、光ディスク２が基端部４方向へ抜け出ることを防止すべく、光ディスク２外周と当接する側壁部材８を光ディスク底面支持部７の基端部側に一個所若しくは分割状に複数個所（本実施例にあっては２分割状）設けるとともに、この側壁部材８には光ディスクが光ディスク底面支持部７の上面方向へ抜け出ることを防止すべく、光ディスク２の外周縁を突部１０との間で挟持する掛止部材９を光ディスク底面支持部７内に突出させて両端と中央に合計３個所形成している。
【００１９】
この掛止部材９は、図３及び図４に示すごとく、ディスク外周縁を掛止する先端掛止部９ａと、この先端掛止部９ａを光ディスクの外周方向に撓曲自在とすべく、その一側を側壁部材８から切り離す（図４にあっては端部のためその一側がない）とともに、その切り離された一側に繋げて先端掛止部９ａの下端、そして他側側の側壁部材８下部の一部を光ディスク底面支持部７から切り離して構成される反り返り自在な薄板状の撓曲部９ｂから構成される。前記先端掛止部９ａは、図８〜図１０に示すごとく、その上部には光ディスク２内周方向に向かって下方に傾斜（曲線状か直線状かは問わない）するテーパー部９ｃを設けることで、光ディスク２の外周縁が降下して当接した際に、先端掛止部９ａは光ディスクの外周方向へ撓曲して光ディスク２を降下させていくものである。また、テーパー部９ｃの下端には、収納する光ディスク上面とほぼ平行な掛止段部９ｄを形成して、一旦掛止した光ディスク２が上方に抜け出ないようにしている。
【００２０】
また、光ディスク底面支持部７における側壁部材８の僅か内周側には、光ディスク２の記録部分が光ディスク底面支持部７の底面に接触して損傷することがないように、光ディスク２の非記録部分である外周縁にのみ当接して光ディスク２を持ち上げる断面三角形状の突部１０を周設している。そして、光ディスク底面支持部７の中央部分は、光ディスク２に接することがなく、またその収納・取り出しにも関係しないことから、先端部分から大きく切り欠いている。
【００２１】
光ディスク底面支持部７における先端部分には、その両端にストッパー部１１を突設し、光ディスク２が先端方向へ抜け出ることを防止するとともに、このストッパー部１１は光ディスク２の先端部分を持ち上げるようにして先端方向で斜め上方向に移動させることで抜け出ることができる、側壁部材８よりも高さのある形状としている。
【００２２】
このような構成からなる本発明の光ディスク収納体１において、光ディスク２を光ディスク底面支持部７に装填する動作としては、通常は前述した従来の光ディスク収納体と同様に、光ディスク２を前下がりに傾斜させて把持し、これを光ディスク底面支持部７の基端部方向に向かって斜め下方向に移動させて行く。そして、光ディスク２の前方部分が側壁部材８に当接したところでは、既に光ディスク２はストッパー部１１を通り越しており、この状態で光ディスク２の後方部分を光ディスク底面支持部７に降下させることで、光ディスク２は光ディスク底面支持部７に装填される。これにより、光ディスク２の基端部方向は側壁部材８と掛止部材９により抜け出しを防止されるとともに、光ディスク２の先端部方向はストッパー部１１により抜け出しを防止される。
【００２３】
これに対し、ロボットによる光ディスクの自動装填をさせる場合には、まず図５及び図８に示すごとく、光ディスク底面支持部７の上方に平行に光ディスク２を位置させ、真っ直ぐに降下させる。次に、図６及び図９に示すごとく、光ディスク２の外周縁が掛止部材９のテーパー部９ｃに当接すると、先端掛止部９ａは光ディスクに押され、撓曲部９ｂが反り返ることにより外周方向へと撓曲する。さらに、光ディスク２が降下し、光ディスク底面支持部７面に当接すると、図７及び図１０に示すごとく、先端掛止部９ａは光ディスク２による押動付勢がなくなって元の位置へ戻るべく光ディスク内周方向に戻る。これにより、掛止部材９の掛止段部９ｄが光ディスク２外周縁上端に掛かることで、光ディスク２は光ディスク底面支持部７に装填され抜け出しを防止される。尚、図中１２は、掛止部材９の撓曲部９ｂを成形するために必要な切欠部である。
【００２４】
また、光ディスク２を光ディスク底面支持部７から取り出す動作としては、前述した従来の光ディスク収納体と同様に、光ディスク２の先端部分と中心孔２ａを把持し、光ディスク２の先端部分を、ストッパー部１１を越える高さに持ち上げ、そのまま先端方向の斜め上方向に移動させることで光ディスク２を容易に取り出すことができるものである。
【００２５】
図１１は、本発明の光ディスク収納体の第２の実施例を示し、主にＤＶＤ用に用いられるものである。この光ディスク収納体１３は、収納基体１４と蓋体１５とが一辺を丁番構造とし、蓋体１５が開閉自在に収納基体１４を被蓋するように一体成形されている。そして、収納基体１４の内面上には光ディスク保持体１６が可撓性を有する基端部１７により付勢され、常時立ち上がり傾斜状態で中空部分に向かって延出し、該延出部分を上下動自在に一体成形されている。光ディスク保持体１６は、前述した第１の実施例と同一の構成からなる光ディスク収納部７を備えて光ディスク２を着脱自在に保持する。
【００２６】
この光ディスク収納体１３にあっては、光ディスク２がケース内に収納された状態において蓋体１５を開けると、光ディスク保持体１６が可撓性を有する基端部１７により付勢されて立ち上がるとともに、１０〜３０°程度の角度で傾斜し中空部分に延出した状態で保持される。この状態で、光ディスク２の記録面に触れることなく、２本の手指で光ディスク２の先端外周縁と中心穴を容易に把持することができ、そして光ディスク２の先端側を持ち上げ、光ディスク２がストッパー部１１を乗り越え、さらに光ディスク２の先端方向の斜め上方向に牽引することにより、光ディスク２を光ディスク保持体１６から容易に離脱させることができる。１８は、蓋体１６を被蓋した際に光ディスク２の中心孔２ａに遊嵌状態で挿入し、光ディスク収納体１３が多大な衝撃を受けた場合でも、光ディスク２が光ディスク収納部７から脱落することを防止する略円柱形状からなる光ディスク中心穴挿入部材である。しかし、この蓋体１５内面に説明書等を収納するために光ディスク中心穴挿入部材１８が邪魔になる場合には、なくともよい。
【００２７】
図１２は、本発明の光ディスク収納体における第３の実施例を示し、前述した２つの実施例の光ディスク収納体が、光ディスク保持体の基端部を収納ケース内に固定的に位置させ、常時立ち上がり状態で傾斜しているのに対し、この光ディスク収納体１９は、収納基体２０とこれを被蓋する蓋体２１とからなる収納ケース内を光ディスク保持体２２が摺動自在に移動し、収納ケース先端部分の開口部２３から突出するものである。
【００２８】
光ディスク保持体２２の上面には、前述した２つの実施例と同一の光ディスク底面支持部７を備えて、光ディスク２を着脱自在に保持する。同様に、光ディスク２の記録部分が損傷しないように、光ディスク２の非記録部分である外周縁にのみ当接して光ディスク２を底面から持ち上げる断面三角形状の突部１０を周設している。また、光ディスク２が基端部方向へ抜け出ることを防止すべく、光ディスク２外周を当接する側壁部材８を光ディスク底面支持部７の基端部側に設けるとともに、この側壁部材８には光ディスクが光ディスク底面支持部７の上面方向へ抜け出ることを防止すべく、光ディスク２の外周縁を突部１０との間で挟持する掛止部材９を光ディスク底面支持部７内に突出させて３個所形成している。更に、光ディスク底面支持部７の先端部には、両側にストッパー部１１を突設して、光ディスク２が先端方向へ抜け出ることを防止している。また、この先端部からは逆Ｔ字形状の延出部材２４を一体的に形成するとともに、その延出部材２４の先端に、開口部２３を被蓋する蓋部材２５を一体若しくは別体に配設している。
【００２９】
収納基体２０内面における光ディスク保持体２２がスライドする相対向する両側部には、図１３に示すごとく、微少な段部２６を形成することで光ディスク保持体２２と収納基体２０との接触面積を減らして光ディスク保持体２２をスライドしやすくしている。また、蓋体２１内面の相対向する両側部には、収納する光ディスクに対応したジャケット、ライナーノート、説明書等を収納するための掛止片２７を４個所突設している。そして、一辺の２個の掛止片２７を繋いで、収納基体２０をスライドする光ディスク保持体２２両側部に対向する蓋体２１両側部内面には、光ディスク保持体２２がスムースに収納基体２０上をスライドすべく、収納基体２０方向に向かいガイド部材２８を突設し、収納基体２０との間に光ディスク保持体２２の厚さを若干越える幅径のガイド溝２９を形成している。この収納ケースの両側部に一定の幅径のガイド溝２９が形成されることにより、光ディスク保持体２２は傾いたりがたついたりして途中で引っ掛かることなく安定した状態でガイド溝２９内をスライドすることができる。
【００３０】
３０は、光ディスク保持体２２の後端に一体的に配設された弾性を有するバネ部であり、収納基体２０の奥部を押動することで光ディスク保持体２２を常時開口部２３から突出する方向へ付勢している。尚、光ディスク保持体２２が開口部２３から脱落しないように、前記段部２６の少なくとも一方は開口側の端部を立ち上げることでストッパーとして機能させている。そして、このストッパーに光ディスク保持体２２の側面の中途部分に形成した段部を当接させる。
【００３１】
図１４に示すごとく、光ディスク保持体２２を収納ケース内に掛止する掛止手段３１は、収納基体２０の一方の内側面に突設された掛止段部３２と、光ディスク保持体２２の後方における一側部に配設された掛止片３３とから構成される。掛止片３３は、その基端部が光ディスク保持体２２に固着されるとともに、基端部を除く細長い撓曲部は固定されることなく、付勢されると光ディスク保持体２２の平面上を撓曲して微動する。また、撓曲部の先端は、付勢されない状態にあっては、掛止段部３２に掛止されて位置する。
【００３２】
３４は、掛止片３３の撓曲部の先端を内方に押動付勢する掛止解除部材であり、基端部を収納基体２０の側面に連設し、先端に形成した指掛かり部を押動することで収納基体２０内に突出する撓曲自在な操作杆からなる。光ディスク保持体２２が収納基体２０内に掛止された状態において、掛止解除部材３４の先端を押し込む方向に押動付勢すると、掛止段部３２に掛止していた撓曲部の先端は掛止段部３２を乗り越える。すると、光ディスク保持体２２は常時バネ部３０により付勢されていることから、光ディスク保持体２２は開口部２３から飛び出すものである。この逆に、光ディスク保持体２２を収納基体２２内に掛止するには、光ディスク保持体２２を収納する方向に開口部２３から突出する蓋部材２５を押動してゆくと、掛止片３３における撓曲部の先端は掛止段部３２を移動しつつその斜面に沿って撓曲する。そして、撓曲部の先端は、掛止段部３２を乗り越えることで掛止段部３２の斜面による付勢がなくなって当初位置に復帰し、光ディスク保持体２２を収納基体２０内へ押し込む付勢を止めても撓曲部の先端は掛止段部３２に掛止され、光ディスク保持体２２は収納基体２０内に掛止状態で収納されるものである。
【００３３】
図１５〜図２１は、本発明の光ディスク収納体の第４の実施例を示し、この光ディスク収納体３５は、前述した第２の実施例と同様に主にＤＶＤ用に用いられるものであり、特にこの種光ディスク収納体にとって重要な課題である組立工程のロボット化にさらに適用させた構造とするものである。すなわち、光ディスクを光ディスク収納体に収納し包装するロボット化された組立工程において、光ディスク収納体は、蓋体を開いた状態で高さ１０ｍｍ程度の隙間を通り抜けなければならず、そのため光ディスク保持体の先端部が収納基体面から持ち上がらずに密着した状態にする必要があった。その上で、使用者が使用する際には、蓋体の開閉に応じて光ディスク保持体の先端部が上下動する使いやすい構造とするものである。
【００３４】
そこで、収納基体３６と蓋体３７とが一辺を丁番構造とし、蓋体３７が開閉自在に収納基体３６を被蓋するように一体成形されている光ディスク収納体３５において、収納基体３６の内面上に、光ディスク保持体３８の先端部２個所を着脱自在に係止するための掛止部３９を２個所に形成している。さらに、収納基体３６の内面上には、収納基体３６と別体に形成された光ディスク保持体３８の基端部３８ａ両端を係脱自在に係止する２つの係合部材４０を立設しており、光ディスク保持体３８を、図１６に示すごとく、上方から降下させることで、図１７に示すごとく、その先端部を掛止部３９に、そして基端部３８ａを係合部材４０に容易に係合させることができるものである。４１は、光ディスク保持体３８が下方に撓みすぎないようにするために、収納基体３６内面上に突設されたストッパー部材であり、光ディスク保持体３８の先端部下面に当接する位置に配設される。
【００３５】
掛止部３９は、一端に掛止用の鈎部を設けた部分的な円弧状の壁構造を有しており、光ディスク保持体３８の先端部が掛止部３９に係止された状態において、収納した光ディスクが衝撃等で前方方向へ抜け出ることを確実に防止する作用を有するものである。そしてこの光ディスクの購入者が、光ディスク収納体３５を開蓋し、図１７に示す状態の光ディスク保持体３８の基端部３８ａを右方向に押動付勢すると、光ディスク保持体３８全体は若干右方向に移動するとともに、光ディスク収納体３８の先端部が掛止部３９から離脱して上方に持ち上がるものである。すなわち、光ディスク保持体３８の基端部３８ａが係合部材４０に係合している状態では、上述した各実施例と同様に、光ディスク保持体３８は基端部３８ａに可撓性を有し、これを支点として先方部分を上下動自在に１０〜３０°程度の角度で常時立ち上がり傾斜状態で中空部分に向かって延出するものである。
【００３６】
そして、一旦掛止部３９から先端部が離脱した光ディスク保持体３８にあっては、蓋体３７を開けると光ディスク保持体３８の先方部分が持ち上がって光ディスクを着脱しやすくなるとともに、蓋体３７を閉めると光ディスク収納体３８の先方部分が下方に傾斜して好適に収納されるものである。上述した構成要素以外の光ディスク底面支持部７、側壁部材８、先端掛止部９ａと撓曲部９ｂとテーパー部９ｃと掛止段部９ｄを備えた掛止部材９、突部１０，ストッパー部１１については前述した他の実施例と同様である、ただし、側壁部材８に形成する掛止部材９については、他の実施例では３個所に設けているが、本実施例にあっては左右２個所のみと簡素化しているものである。２個の掛止部材９であっても、光ディスクの上面方向への抜け出しを充分に防止できるとともに、光ディスクの外周縁が降下して当接した際に、先端掛止部９ａは光ディスクの外周方向へ撓曲して光ディスク２を降下させるとともに、テーパー部９ｃの下端の掛止段部９ｄにより一旦掛止した光ディスクが上方に抜け出ないものである。
【００３７】
図１９〜図２１は、蓋体３７が収納基体３６を被蓋した状態で、落下等の衝撃があっても収納した光ディスク２が光ディスク保持体３８から脱落しないようにするための光ディスク押さえの構造を示している。すなわち、図１９と図２０に示すごとく、光ディスク収納体３５内面の背の部分と、蓋体３７の先端部分の２個所にディスク押さえ部材４２を突設するものである。そして、蓋体３７が収納基体３６を被蓋した状態では、図２１に示すごとく、光ディスク２の両端部分を上面方向から押さえることで、光ディスク２の光ディスク保持体３８からの抜け出しを確実に防止することができるものである。
【００３８】
尚、上述した実施例にあっては、掛止部材９の撓曲部９ｂを光ディスク底面支持部７上面と平行な横方向に延出する構成について説明したが、これ以外の構成も考えられる。すなわち、掛止部材９の撓曲部９ｂを光ディスク底面支持部７上面から立設して縦方向に撓曲可能とする構成も考慮することができるものである。しかしながら、撓曲部の十分な可撓性を確保するためには、一定程度の長さを必要としており、前述した撓曲部が横方向に延出する構成にあっては撓曲部の長さを自在に長く設定可能であるのに対し、縦方向に立設する撓曲部にあっては収納ケース内の厚さ方向の制限があって、十分な長さを確保することは困難であり、各実施例の構成である光ディスク底面支持部７上面と平行な横方向に掛止部材９の撓曲部９ｂを延出する方がより好適である。
【００３９】
【発明の効果】
しかして本発明によれば、光ディスクを把持しやすく取り出し・収納がきわめて容易に行うことができ、かつ重要な光ディスクの中心穴を損傷させることなく光ディスクを容易に取り出し及び収納することができる優れた光ディスク収納体が得られるとともに、組立工程において光ディスクを自動的に装填することが可能となり、組立工程における大幅な合理化を実現するものである。
【００４０】
または、開閉自在な蓋体を備えた収納ケース、該収納ケース内において光ディスクを着脱自在に保持し前記収納ケース内に取付けられた基端部に連接する先方部分が常時立ち上がり傾斜状態でかつ上下動自在とすべく可撓性を有して中空部分に向かって延出する光ディスク保持体からなり、光ディスク保持体の先方部分は収納ケースの蓋体の開閉に応じて上下動するとともに、前記収納ケースには光ディスク保持体の先方部分を係脱自在に収納ケース底面上に保持する掛止部を備えることで、光ディスク保持体の先方部分を掛止部に掛止させて、光ディスク保持体が収納ケース底面から持ち上がらずに密着した状態とすることにより、光ディスクを光ディスク収納体に組み込むロボット化された組立工程に確実に適用することができるとともに、使用者が使用する際には、蓋体の開閉に応じて光ディスク保持体の先端部が上下動する使いやすい構造とすることができるものである。
【００４１】
また、掛止部材を備えてなる側壁部材は、光ディスク保持体の一方側に形成され、収納されてなる光ディスクの一方側を保持するとともに、相対向する光ディスク保持体の他方側には、光ディスクの斜め上方向への取出しは自在で、光ディスクの水平方向への抜け出しは防止されるストッパー部を形成することで、光ディスク保持体に収納した光ディスクは水平方向に抜け出すことなく確実に保持されるとともに、ストッパー部を乗り越えるべく光ディスクを斜め上方向に移動させることで容易に取り出すこともできる。
【００４２】
また、光ディスクの上面方向への抜け出しを防止すべく側壁部材に突設形成される掛止部材は側壁部材の端部に形成されてなり、ディスク外周縁を掛止する先端掛止部がディスク外周縁に対し接離自在とすべく側壁部材端部の下方部分は光ディスク底面支持部と切り離されることで、掛止部材の撓曲部分を自在な長さを設定することができ、掛止部材が柔軟に撓曲して光ディスクを好適に装填することができる。
【００４３】
また、掛止部材の先端掛止部は、光ディスク内周方向に向かって下方に傾斜するテーパー部を設けることで、光ディスク収納部の上方から光ディスクがテーパー部に当接しつつ降下すると、先端掛止部は外周方向へ容易に撓曲して、光ディスクを光ディスク底面支持部へと確実に案内する。
【００４４】
また、掛止部材のテーパー部下端面は収納する光ディスク上面とほぼ平行に位置することで、光ディスク収納部の上方から光ディスクが降下して掛止部材のテーパー部を乗り越えると、光ディスクの外周縁はテーパー部の下端に掛止されて上方向への抜け出しを防止される。
【００４５】
また、光ディスク保持体は、収納ケース内を摺動移動自在とし、該収納ケースにおける光ディスクの先端方向に形成された開口部から突出自在としてなることで、両手を用いて収納ケースの蓋を開ける操作をすることなく光ディスクを取り出すことができる。
【図面の簡単な説明】
【図１】本発明の光ディスク収納体の第１の実施例を示す斜視図である。
【図２】本発明の光ディスク収納体の第１の実施例を示す平面図である。
【図３】本発明の光ディスク収納体における掛止部材を示す要部断面図である。
【図４】本発明の光ディスク収納体における掛止部材を示す要部断面図である。
【図５】本発明の光ディスク収納体における光ディスクを掛止部材に掛止させる前の状態を示す要部平面図である。
【図６】本発明の光ディスク収納体における光ディスクを掛止部材に掛止させつつある状態を示す要部平面図である。
【図７】本発明の光ディスク収納体における光ディスクを掛止部材に掛止した状態を示す要部平面図である。
【図８】本発明の光ディスク収納体における光ディスクを掛止部材に掛止させる前の状態を示す要部断面図である。
【図９】本発明の光ディスク収納体における光ディスクを掛止部材に掛止させつつある状態を示す要部断面図である。
【図１０】本発明の光ディスク収納体における光ディスクを掛止部材に掛止した状態を示す要部断面図である。
【図１１】本発明の光ディスク収納体の第２の実施例を示す斜視図である。
【図１２】本発明の光ディスク収納体の第３の実施例を示す斜視図である。
【図１３】本発明の光ディスク収納体の第３の実施例を示す要部断面図である。
【図１４】本発明の光ディスク収納体の第３の実施例を示す平面図である。
【図１５】本発明の光ディスク収納体の第４の実施例を示す平面図である。
【図１６】本発明の光ディスク収納体の第４の実施例を示す部分断面図である。
【図１７】本発明の光ディスク収納体の第４の実施例を示す部分断面図である。
【図１８】本発明の光ディスク収納体の第４の実施例を示す部分断面図である。
【図１９】本発明の光ディスク収納体の第４の実施例を示す平面図である。
【図２０】本発明の光ディスク収納体の第４の実施例を示す開蓋した状態の断面図である。
【図２１】本発明の光ディスク収納体の第４の実施例を示す閉蓋した状態の断面図である。
【符号の説明】
１  光ディスク収納体
２  光ディスク
２ａ  中心穴
３  光ディスク保持体
４  基端部
５  収納基体
６  蓋体
７  光ディスク底面支持部
８  側壁部材
９  掛止部材
９ａ  先端掛止部
９ｂ  撓曲部
９ｃ  テーパー部
９ｄ  掛止段部
１０  突部
１１  ストッパー部
１３  光ディスク収納体
１４  収納基体
１５  蓋体
１６  光ディスク保持体
１９  光ディスク収納体
２０  収納基体
２１  蓋体
２２  光ディスク保持体
２３  開口部
３０  バネ部
３１  掛止手段
３５  光ディスク収納体
３６  収納基体
３７  蓋体
３８  光ディスク保持体
３９  掛止部
４０  係合部材
４１  ストッパー部材
【図１】
0003622051.tif 000002
【図２】
0003622051.tif 000003
【図３】
0003622051.tif 000004
【図４】
0003622051.tif 000005
【図５】
0003622051.tif 000006
【図６】
0003622051.tif 000007
【図７】
0003622051.tif 000008
【図８】
0003622051.tif 000009
【図９】
0003622051.tif 000010
【図１０】
0003622051.tif 000011
【図１１】
0003622051.tif 000012
【図１２】
0003622051.tif 000013
【図１３】
0003622051.tif 000014
【図１４】
0003622051.tif 000015
【図１５】
0003622051.tif 000016
【図１６】
0003622051.tif 000017
【図１７】
0003622051.tif 000018
【図１８】
0003622051.tif 000019
【図１９】
0003622051.tif 000020
【図２０】
0003622051.tif 000021
【図２１】
0003622051.tif 000022